(57)【要約】【課題】モジュール同士を、容易且つ適切に連結できるようにし、連結の解除もモジュール側に変形などを生じさせることなく容易になし得るようにする。【解決手段】蓄電体セルをケースＭａに納めてなるモジュールＭを連結させて蓄電システムを構成させる構造である。対をなす他方のクリップＣに対する第一係合部３と、モジュールＭのケースＭａに対する第二係合部４とを備えた一対のクリップＣ、Ｃを備えている。第一係合部３をもって一対のクリップＣ、Ｃを係合させた状態からこの一対のクリップＣ、Ｃの第二係合部４をそれぞれ対応する前記ケースＭａに係合させて隣り合うモジュールＭ、Ｍを連結させるようになっていると共に、連結させたモジュールＭを所定の力で離隔操作したときに、第一係合部３の係合が解除されるようになっている。【選択図】図２
2011134541.tif 000002
【特許請求の範囲】
【請求項１】
蓄電体セルをケースに納めてなるモジュールを連結させて蓄電システムを構成させる構造であって、
対をなす他方のクリップに対する第一係合部と、モジュールのケースに対する第二係合部とを備えた一対のクリップを備えており、
第一係合部をもって一対のクリップを係合させた状態からこの一対のクリップの第二係合部をそれぞれ対応する前記ケースに係合させて隣り合うモジュールを連結させるようになっていると共に、
連結させたモジュールを所定の力で離隔操作したときに、第一係合部の係合が解除されるようになっていることを特徴とする連結構造。
【請求項２】
一対のクリップにおける第二係合部はそれぞれ、ケースの取付穴に差し込まれる脚部に形成されていると共に、
連結させたモジュールを所定の力で離隔操作したときに、一対のクリップがそれぞれ前記脚部を中心にして第一係合部の係合を解く向きに回動するようになっていることを特徴とする請求項１に記載の連結構造。
【請求項３】
一対のクリップは、一方のクリップの第一係合部と他方のクリップの第一係合部とをクリップの回動軸線方向において重ね合わせて係合させるようになっていると共に、
一対のクリップはそれぞれ、この重ね合わせを維持する向きに他方のクリップを付勢可能とする付勢手段を備えていることを特徴とする請求項２に記載の連結構造。
【請求項４】
一対のクリップにおける第一係合部はそれぞれ、第二係合部側に向いた傾斜面を備えており、係合状態において互いの傾斜面を接し合わせるようになっていることを特徴とする請求項３に記載の連結構造。
【請求項５】
クリップの回動中心を通る仮想の第一直線とこの回動中心において前記第一直線に交叉する仮想の第二直線とによって区分された四つの領域のうちの対向する二つの領域に前記回動中心側から張り出す張り出し部が形成されていると共に、
二箇所の張り出し部のうちの前記第一直線に沿った縁部にそれぞれ第一係合部が形成され、
二箇所の張り出し部の一方における前記第二直線に沿った縁部から付勢手段となる弾性片が突設され、
二箇所の張り出し部の他方における前記第二直線に沿った縁部が対をなす他方のクリップの弾性片に対する被当接部となっていることを特徴とする請求項３又は請求項４に記載の連結構造。
【請求項６】
一対のクリップが隣り合うモジュール間に介在されるスペーサを挟んで第一係合部を係合させるようになっていることを特徴とする請求項１〜請求項５のいずれか１項に記載の連結構造。
【請求項７】
一対のクリップがそれぞれ、スペーサの貫通穴内で係合し合う第一係合部の形成位置よりも外側に挟持部を備えていることを特徴とする請求項１〜請求項６のいずれか１項に記載の連結構造。
【発明の詳細な説明】
【技術分野】
【０００１】
この発明は、ハイブリッドカーや電気自動車などの蓄電システムを構成するモジュールを連結させるための連結構造に関する。
【背景技術】
【０００２】
ハイブリッドカーや電気自動車などの蓄電システムは、畜電体セルを納めてなるモジュールの集合から構成される。集められたモジュールは最終的には各モジュールにボルトを通すなどして固定されるが、最終的な固定に先立って隣り合うモジュール同士を連結させることが求められるところである。
【０００３】
畜電体セルを収容する枠体（モジュール）を各枠体の嵌合突部を嵌合凹部にはめ込んで連結させるものとして特許文献１に示されるものがある。各モジュール間にスペーサを介在させてクリアランスを形成させるものとして特許文献２に示されるものもあるが、前記の最終的な固定に先立つモジュール同士の連結は考慮されていない。
【先行技術文献】
【特許文献】
【０００４】
【特許文献１】特開２００５−２６８００４号公報
【特許文献２】特開２００６−１４７５３１号公報
【発明の概要】
【発明が解決しようとする課題】
【０００５】
この発明が解決しようとする主たる問題点は、この種のモジュール同士を、最終的な固定に先立ち、第一に、容易且つ適切に連結できるようにし、第二に、この連結の解除もモジュール側に変形や破損を生じさせることなく容易になし得るようにする点にある。
【課題を解決するための手段】
【０００６】
前記課題を達成するために、この発明にあっては、連結構造を、蓄電体セルをケースに納めてなるモジュールを連結させて蓄電システムを構成させる構造であって、
対をなす他方のクリップに対する第一係合部と、モジュールのケースに対する第二係合部とを備えた一対のクリップを備えており、
第一係合部をもって一対のクリップを係合させた状態からこの一対のクリップの第二係合部をそれぞれ対応する前記ケースに係合させて隣り合うモジュールを連結させるようになっていると共に、
連結させたモジュールを所定の力で離隔操作したときに、第一係合部の係合が解除されるようになっているものとした。
【０００７】
かかる連結構造によれば、第一係合部を係合させて組み合わせた一対のクリップをもって、隣り合うモジュールを連結させ合わせることができる。また、この連結状態をモジュールを前記離隔操作することで容易に解除することができる。これにより、蓄電システムを構成する一部のモジュールの交換などを容易に行うことができる。また、この種のモジュールのケースは薄く脆弱であるところ、前記離隔操作により第一係合部の係合が先ず解かれるようにしておくことで、モジュール同士の連結を解除にあたりモジュールのケース側に変形や破損ができるだけ生じないようにすることができる。
【０００８】
かかる一対のクリップにおける第二係合部をそれぞれ、ケースの取付穴に差し込まれる脚部に形成させ、連結させたモジュールを所定の力で離隔操作したときに、一対のクリップがそれぞれ前記脚部を中心にして第一係合部の係合を解く向きに回動するようにしておくことが好適な態様の一つである。この場合にはさらに、かかる一対のクリップは、一方のクリップの第一係合部と他方のクリップの第一係合部とをクリップの回動軸線方向において重ね合わせて係合させるようにしておくと共に、一対のクリップにそれぞれ、この重ね合わせを維持する向きに他方のクリップを付勢可能とする付勢手段を備えさせるようにすることが好ましい。またこの場合にはさらに、かかる一対のクリップにおける第一係合部はそれぞれ、第二係合部側に向いた傾斜面を備えたものとし、係合状態において互いの傾斜面を接し合わせるようにしておくことが好ましい。
【０００９】
このようにした場合、隣り合うモジュールを第一係合部の係合により適切に連結させながら、この隣り合うモジュール間に介在される第一係合部の形成箇所をできるだけ薄く構成させることができる。また、前記付勢手段の付勢力を変えることで、一対のクリップの第一係合部同士の係合力、すなわち、隣り合うモジュール同士の連結の強度を容易に調節することができる。また、前記離隔操作によって接し合う傾斜面をもって第一係合部の係合を解く向きにそれぞれのクリップを円滑に回動させることができる。
【００１０】
前記クリップの回動中心を通る仮想の第一直線とこの回動中心において前記第一直線に交叉する仮想の第二直線とによって区分された四つの領域のうちの対向する二つの領域に前記回動中心側から張り出す張り出し部を形成させると共に、
二箇所の張り出し部のうちの前記第一直線に沿った縁部にそれぞれ第一係合部を形成させ、
二箇所の張り出し部の一方における前記第二直線に沿った縁部から付勢手段となる弾性片を突設させ、
二箇所の張り出し部の他方における前記第二直線に沿った縁部を対をなす他方のクリップの弾性片に対する被当接部とするようにしておくこともある。
【００１１】
このようにした場合、一対のクリップの一方の第一係合部の形成側と他方の第一係合部の形成側とを突き合わせ、かつ、弾性片を被当接部に当接させてこれを弾性変形させながら一方のクリップの第一係合部下に他方のクリップの第一係合部が入り込むようにし、この後に弾性片の変形を解くことにより、互いのクリップをやや回動させてそれぞれの第一係合部をこれに対応する第一係合部下に入り込ませて係合させることができる。すなわち、このようにした場合、同寸・同形の二つのクリップを組み合わせることによって、連結構造を構成することができる。
【００１２】
前記一対のクリップが隣り合うモジュール間に介在されるスペーサを挟んで第一係合部を係合させるようにしておくこともある。この場合にはさらに、一対のクリップがそれぞれ、スペーサの貫通穴内で係合し合う第一係合部の形成位置よりも外側に挟持部を備えるようにしておくことが好ましい。
【００１３】
このようにした場合、一対のクリップ間にスペーサを挟むようにしてクリップをスペーサに取り付けた状態から、前記脚部を対応するモジュールの取付穴に挿通することでこの脚部に形成された第二係合部をもってモジュール側に係合して隣り合うモジュールをスペーサを介在させた状態で連結させることができる。
【発明の効果】
【００１４】
この発明によれば、蓄電システムを構成するモジュール同士を、最終的な固定に先立ち、容易且つ適切に連結することができる。また、連結されたモジュールを離隔操作することで第一係合部を係合させ合っている対をなすクリップ同士を分離してモジュール同士を分離できることから、この連結の解除もモジュール側に変形や破損を生じさせることなくなすことができる。
【図面の簡単な説明】
【００１５】
【図１】図１は、隣り合うモジュールと、クリップを取り付けたスペーサとを分離させた状態で示した斜視図である。
【図２】図２は連結構造の要部断面図である。
【図３】図３は第一係合部を係合させていない一対のクリップの斜視図であり、ｂ図はａ図と異なる向きからかかる一対のクリップを見て示している。
【図４】図４は第一係合部を係合させた一対のクリップをスペーサの記載を省略して示した斜視図であり、ｂ図はａ図と異なる向きからかかる一対のクリップを見て示している。
【図５】図５は第一係合部を係合させた一対のクリップをスペーサの記載を省略して示した平面図である。
【図６】図６は一対のクリップを介して連結され合わせたモジュールを離隔操作することにより第一係合部の係合を解く向きにやや回動された一対のクリップをスペーサの記載を省略して示した平面図である。
【図７】図７はクリップの平面図である。
【図８】図８はクリップの底面図である。
【図９】図９はクリップの側面図である。
【図１０】図１０は図９と異なる向きから見たクリップの側面図である。
【図１１】図１１は図７におけるＡ−Ａ線断面図である。
【図１２】図１２は図７におけるＢ−Ｂ線断面図である。
【発明を実施するための形態】
【００１６】
以下、図１〜図１２に基づいて、この発明の典型的な実施の形態について説明する。この実施の形態にかかる連結構造は、ハイブリッドカーや電気自動車などの蓄電システム（蓄電ユニットなどとも称される。）を構成するモジュールＭ（蓄電モジュールなどとも称される。）を連結させるためのものである。かかる蓄電システムは複数のかかるモジュールＭを連結させることで構成される。より具体的には、隣り合うモジュールＭ、Ｍ同士をそれぞれ本連結構造によって連結させることで、複数のモジュールＭ、Ｍ…から前記蓄電システムが構成される。各モジュールＭはケースＭａ内に図示しない蓄電体セルを納めて構成される。
【００１７】
図示の例では、モジュールＭは、幅広の前面Ｍｂ及び背面Ｍｃを略長方形状とした扁平なケースＭａ内に蓄電体セルを納めた構成となっている。ケースＭａの前面及Ｍｂび背面Ｍｃにはぞれぞれ、その四隅に大径の丸穴Ｍｄが形成されていると共に、それぞれ丸穴Ｍｄの形成位置よりもやや内方にはこれより小径の取付穴Ｍｅが穿設されている。
【００１８】
図示の例では隣り合うモジュールＭ、Ｍは、そのケースＭａの幅広の面Ｍｂ、Ｍｃ同士を向き合わせ、且つ、この幅広の面Ｍｂ、Ｍｃの各辺を揃えた状態で、上下に重ね合わせ状に、あるいは、左右に並列状に、連結されるようになっている。隣り合うモジュールＭ、Ｍ間には、スペーサＳが介在される。図示の例では、かかるスペーサＳはケースＭａの幅広の面Ｍｂ、Ｍｃの幅内に納まる長さを備えた細長い板状をなすように構成されている。スペーサＳの一面は隣り合うモジュールＭ、Ｍの一方に接し、他面は隣り合うモジュールＭ、Ｍの他方に接し、これによりかかるスペーサＳの厚さ分の空隙が隣り合うモジュールＭ、Ｍ間に形成されるようになっている。スペーサＳの両端部にはそれぞれ、スペーサＳの両面において、スペーサＳの板面に直交する向きに突き出す中空のボス部Ｓａが形成されている。図示の例では、モジュールＭの両短辺側においてそれぞれ、二箇所の前記丸穴Ｍｄにボス部Ｓａを挿通してこの短辺に沿ってスペーサＳが配されるようになっている。スペーサＳの一面側のボス部Ｓａは隣り合うモジュールＭ、Ｍの一方の丸穴Ｍｄに挿通され、スペーサＳの他面側のボス部Ｓａは隣り合うモジュールＭ、Ｍの他方の丸穴Ｍｄに挿通される。このように連結させた複数のモジュールＭ、Ｍ…はそれぞれのモジュールＭの丸穴Ｍｄと各スペーサＳのボス部Ｓａに通される図示しないボルトによって本止めされる。
【００１９】
この実施の形態にあっては、一対のクリップＣ、Ｃによって、前記本止めに先立ち、隣り合うモジュールＭ、Ｍ同士を連結させるようにしている。かかる一対のクリップＣ、Ｃは隣り合うモジュールＭ、Ｍ間に介在される前記スペーサＳを挟んで後述の第一係合部３を係合させるようになっている。かかる一対のクリップＣ、Ｃはそれぞれ第一係合部３と反対の側にモジュールＭの前記取付穴Ｍｅに挿通される脚部２を備えており、スペーサＳに取り付けられた状態から、かかる脚部２を対応するモジュールＭの取付穴Ｍｅに挿通することでこの脚部２に形成された後述の第二係合部４をもってモジュールＭ側に係合して隣り合うモジュールＭ、ＭをスペーサＳを介在させた状態で連結させるようになっている。
【００２０】
具体的には、スペーサＳにおける一対のボス部Ｓａ、Ｓａ間にはクリップＣの第一係合部３の形成箇所を納める貫通穴Ｓｂが形成されており、一対のクリップＣ、Ｃはそれぞれこの貫通穴Ｓｂ内で第一係合部３を係合させ合わせてスペーサＳを挟持している。具体的には、クリップＣにおけるこの第一係合部３の形成位置よりも外側には貫通穴Ｓｂ内に入り込まない挟持部１ｇが形成されており、一対のクリップＣ、Ｃのかかる挟持部１ｇ間でスペーサＳの前記挟持をなすようになっている。
【００２１】
前記一対のクリップＣ、Ｃは、対をなす他方のクリップＣに対する第一係合部３と、モジュールＭのケースＭａに対する第二係合部４とを備えている。そして、第一係合部３をもって一対のクリップＣ、Ｃを係合させた状態からこの一対のクリップＣ、Ｃの第二係合部４をそれぞれ対応する前記ケースＭａに係合させて隣り合うモジュールＭ、Ｍを連結させるようになっている。それと共に、連結させたモジュールＭを所定の力で離隔操作したときに、第一係合部３の係合が解除されるようになっている。
【００２２】
これにより、この実施の形態にかかる連結構造によれば、第一係合部３を係合させて組み合わせた一対のクリップＣ、Ｃをもって、隣り合うモジュールＭ、Ｍを連結させ合わせることができる。また、この連結状態をモジュールＭを前記離隔操作することで容易に解除することができる。これにより、蓄電システムを構成する一部のモジュールＭの交換などを容易に行うことができる。また、この種のモジュールＭのケースＭａは薄く脆弱であるところ、前記離隔操作により第一係合部３の係合が先ず解かれるようにしておくことで、モジュールＭ同士の連結を解除にあたりモジュールＭのケースＭａ側に変形や破損ができるだけ生じないようにすることができる。
【００２３】
かかる一対のクリップＣ、Ｃにおける第二係合部４はそれぞれ、ケースＭａの取付穴Ｍｅに差し込まれる脚部２に形成されている。そして、連結させたモジュールＭを所定の力で離隔操作したときに、一対のクリップＣ、Ｃがそれぞれ前記脚部２を中心にして、言い換えれば、前記取付穴Ｍｅを軸受けとして、第一係合部３の係合を解く向きに回動するようになっている。
【００２４】
より具体的には、かかる一対のクリップＣ、Ｃは、一方のクリップＣの第一係合部３と他方のクリップＣの第一係合部３とをクリップＣの回動軸線（脚部２の中心軸ｘと一致）方向において重ね合わせて係合させるようになっていると共に、一対のクリップＣ、Ｃはそれぞれ、この重ね合わせを維持する向きに他方のクリップＣを付勢可能とする付勢手段５を備えている。また、かかる一対のクリップＣ、Ｃにおける第一係合部３はそれぞれ、第二係合部４側に向いた傾斜面３ａを備えており、係合状態において互いの傾斜面３ａを接し合わせるようになっている。
【００２５】
これにより、この実施の形態にかかる連結構造にあっては、隣り合うモジュールＭ、Ｍを第一係合部３の係合により適切に連結させながら、この隣り合うモジュールＭ、Ｍ間に介在される第一係合部３の形成箇所をできるだけ薄く構成させることができる。また、前記付勢手段５の付勢力を変えることで、一対のクリップＣ、Ｃの第一係合部３同士の係合力、すなわち、隣り合うモジュールＭ、Ｍ同士の連結の強度を容易に調節することができる。また、前記離隔操作によって接し合う傾斜面３ａをもって第一係合部３の係合を解く向きにそれぞれのクリップＣを円滑に回動させることができる。
【００２６】
この実施の形態にあっては、一対のクリップＣ、Ｃは同寸で且つ同形に構成されている。かかるクリップＣは、隣り合うモジュールＭ、Ｍ間の空隙、つまり、スペーサＳの厚さ内に納まる厚さの頭部１と、脚部２とを備えている。そして、この頭部１に第一係合部３と付勢手段５とが備えられ、脚部２に第二係合手段が備えられている。
【００２７】
脚部２は、頭部１の背面１ｂにおいて、この頭部１の中央に一端を一体に連接させてこの背面１ｂに直交する向きに突き出す軸状をなすように構成されている。脚部２は、前記取付穴Ｍｅに挿通可能な太さを持ち、頭部１はこの取付穴Ｍｅに入り込まない大きさを備えている。頭部１は概ね板状をなし、脚部２の中心軸ｘに対し板面を直交する向きに配するように形成されている。図示の例では、脚部２は、他端を閉塞させた円筒体として構成されている。脚部２の中心軸ｘを挟んだ対向位置にそれぞれ第二係合部４が形成されている。各第二係合部４は、脚部２の中心軸ｘに沿った二条の割溝２ａ、２ａと、この二条の割溝２ａ、２ａにおける頭部１側の溝端間に亘るこの中心軸ｘに直交する向きの割溝２ｂとによって区分された弾性片２ｃの外面部に膨出部を形成させることで構成されている。かかる第二係合部４は頭部１の側を向いた係合面４ａを有すると共に、弾性片２ｃの基部とその頂部４ｂとの間を傾斜面４ｃとしている。一対の第二係合部４、４の頂部４ｂ間の距離は取付穴Ｍｅの穴径よりもやや大きくなっている。また、係合面４ａと頭部１の背面１ｂとの間の距離はモジュールＭのケースＭａの厚さとほぼ同じか、これよりやや大きくなっている。これによりこの実施の形態にあっては、モジュールＭのケースＭａの取付穴ＭｅへのこのケースＭａの外側からのクリップＣの脚部２の挿通を、この取付穴Ｍｅ側への傾斜面４ｃの摺接に伴う弾性片２ｃの撓み込みにより許容すると共に、第二係合部４の頂部４ｂがケースＭａの内側の取付穴Ｍｅの穴縁より先に入り込んだ挿通終了位置での前記弾性片２ｃの撓み戻しにより第二係合部４と頭部１との間でケースＭａを内外から挟み付けてクリップＣがモジュールＭに係合されるようになっている。クリップＣはかかる撓み込みと撓み戻しとを通じてモジュールＭに係合されることから、撓み戻しがあるまでは取付穴Ｍｅへの脚部２の挿通に所用の抵抗があり、この抵抗がなくなったときに係合がなされることから、この係合の有無を作業者に明確に認識させることができる。
【００２８】
頭部１は、仮想の第一円（図示は省略する。）内に形成された中心部１ｃと、この中心部１ｃの直径方向両側に形成された張り出し部１ｄとを備えている。張り出し部１ｄの外縁１ｅは前記第一円より直径を大きくする仮想の第二円ｒの円弧に沿っている。また、頭部１の表面１ａを構成する張り出し部１ｄの表面部には、前記第一円よりは直径を大きくし且つ前記第二円ｒより直径を小さくする仮想の第三円ｒ’の円弧に沿ったリブ１ｆが形成されている。この仮想の第三円ｒ’はスペーサＳの貫通穴Ｓｂの穴径と略等しく、頭部１はこのリブ１ｆを含んだこれよりも内側の箇所をかかる貫通穴Ｓｂ内に入り込ませるようになっている。この張り出し部１ｄにおけるリブ１ｆと外縁１ｅとの間が前記挟持部１ｇとなっている。中心部１ｃには長穴１ｈが形成されており、この長穴１ｈはその中央部で脚部２の内部に連通している。
【００２９】
前記張り出し部１ｄは、クリップＣの回動中心、つまり、前記中心部１ｃの中心を通る仮想の第一直線Ｌとこの回動中心において前記第一直線Ｌに交叉する仮想の第二直線Ｌ’とによって区分された四つの領域のうちの対向する二つの領域に前記回動中心側、つまり中心部１ｃから張り出すように形成されている。
【００３０】
そして、二箇所の張り出し部１ｄのうちの前記第一直線Ｌに沿った縁部１ｉにそれぞれ第一係合部３が形成され、
二箇所の張り出し部１ｄの一方における前記第二直線Ｌ’に沿った縁部１ｊから付勢手段５となる弾性片５ａが突設され、
二箇所の張り出し部１ｄの他方における前記第二直線Ｌ’に沿った縁部１ｊが対をなす他方のクリップＣの弾性片５ａに対する被当接部６となっている。
【００３１】
図示の例では、かかる第一係合部３は、前記仮想の第三円ｒ’の円弧に沿うように前記縁部１ｉから突き出す爪状をなすように構成されている。また、この第一係合部３は前記リブ１ｆに連続している。第一係合部３は頭部１の表面１ａの一部をなす表面部を前記脚部２の中心軸ｘに直交する面とし、かつ、これと反対側の面を前記傾斜面３ａとしており、その突きだし端に向かうに連れてその厚さ寸法を小さくするように構成されている。
【００３２】
また、前記弾性片５ａは、前記仮想の第二円ｒの円弧に沿って前記縁部１ｊから突き出す外側腕部５ｂと、この外側腕部５ｂの端部との間に屈曲部を形成して中心部１ｃ側に延びる内側腕部５ｃと、この内側腕部５ｃの端部における表面部から前記中心軸ｘに沿う向きに突き出す棒状当接部５ｄとを備えている。また、弾性片５ａは前記頭部１の表面１ａを構成する表面部と裏面１ｂを構成する裏面部とを有している。そして、この実施の形態にあっては、かかる弾性片５ａの棒状当接部５ｄとこの弾性片５ａを備えていない張り出し部１ｄにおける前記第一係合部３の形成されている縁部１ｉとの間の距離ｄ１が、この弾性片５ａを備えていない張り出し部１ｄにおける前記第一係合部３の突きだし端と被当接部６との間の距離ｄ２と、略一致するようになっている。また、弾性片５ａを備えていない張り出し部１ｄにおける被当接部６と弾性片５ａを備えている張り出し部１ｄにおける前記第一係合部３の形成されている縁部１ｉとの間の距離ｄ３が、弾性片５ａの棒状当接部５ｄとこの弾性片５ａを備えている張り出し部１ｄにおける前記第一係合部３の突きだし端との間の距離ｄ４と、略一致するようになっている。（図８）
【００３３】
これにより、この実施の形態にあっては、一対のクリップＣ、Ｃの一方の第一係合部３の形成側と他方の第一係合部３の形成側とを突き合わせ、かつ、弾性片５ａを被当接部６に当接させてこれを弾性変形させながら一方のクリップＣの第一係合部３下に他方のクリップＣの第一係合部３が入り込むようにし、この後に弾性片５ａの変形が解かれるようにすることにより、互いのクリップＣをやや回動させてそれぞれの第一係合部３をこれに対応する第一係合部３下に入り込ませて係合させることができるようになっている。（図４、図５）すなわち、この実施の形態にあっては、同寸・同形の二つのクリップＣを組み合わせることによって、連結構造を構成できるようになっている。
【００３４】
隣り合うモジュールＭ、ＭをかかるクリップＣによって連結させた状態から、（図５）前記離隔操作を行うと、第一係合部３の接し合う傾斜面３ａにより弾性片５ａを弾性変形させながら第一係合部３の係合を解く向きにそれぞれのクリップＣは回動される。（図６）具体的には、この離隔操作を行うと各クリップＣは前記取付穴Ｍｅ内にある脚部２の基部を軸としこの取付穴Ｍｅを軸受けとして他方のクリップＣと逆向きに回動する。二つのクリップＣの一方の第一係合部３下から他方の第一係合部３が抜け出した回動位置までクリップＣが回動されると第一係合部３の係合は解かれ、二つのクリップＣはそれぞれのモジュールＭに第二係合部４を係合させた状態のまま分離される。
【符号の説明】
【００３５】
Ｍ  モジュール
Ｍａ  ケース
Ｃ  クリップ
３  第一係合部
４  第二係合部
【図１】
2011134541.tif 000003
【図２】
2011134541.tif 000004
【図３】
2011134541.tif 000005
【図４】
2011134541.tif 000006
【図５】
2011134541.tif 000007
【図６】
2011134541.tif 000008
【図７】
2011134541.tif 000009
【図８】
2011134541.tif 000010
【図９】
2011134541.tif 000011
【図１０】
2011134541.tif 000012
【図１１】
2011134541.tif 000013
【図１２】
2011134541.tif 000014